(57)【要約】【課題】無線アクセスポイントに記録機能を搭載して、ＰＣなどの情報処理装置がなくても電源供給のみで運用を可能とし、無線アクセスポイント自体の使い勝手、さらには無線アクセスポイントを用いたセンサネットワークシステム全体の使い勝手を向上させる技術を提供する。【解決手段】センサネットワークシステムにおいて、無線センサ端末１０と、無線センサ端末１０との間で無線接続可能な無線アクセスポイント２０と、無線アクセスポイント２０が挿抜により接続可能なＰＣ３０とを有し、無線アクセスポイント２０には、メモリカード２５を挿抜可能にして、アクセスポイント機能と、メモリカードへの記録機能とを両立する。【選択図】図１
2011239186.tif 000002
【特許請求の範囲】
【請求項１】
無線センサデータを受信し、情報処理装置に挿抜により接続可能な無線アクセスポイントであって、
前記無線センサデータを受信する無線ＩＣ回路と、前記無線ＩＣ回路で受信した無線センサデータを制御するマイコンと、前記マイコンで制御された無線センサデータを出力するインタフェース回路と、前記無線アクセスポイントに挿抜可能とされるメモリカードとを有し、
前記無線アクセスポイントを前記情報処理装置に挿し、前記メモリカードを前記無線アクセスポイントに挿した状態で、前記メモリカードに前記無線ＩＣ回路で受信した無線センサデータを記録する第１の機能モードと、前記メモリカードに記録した無線センサデータを前記インタフェース回路から前記情報処理装置に出力する第２の機能モードとを有することを特徴とする無線アクセスポイント。
【請求項２】
請求項１記載の無線アクセスポイントにおいて、
前記インタフェース回路は、前記無線センサデータをデータ変換して前記情報処理装置に出力するシリアル用インタフェース回路と、前記メモリカードに記録した無線センサデータをデータ変換して前記情報処理装置に出力するストレージ用インタフェース回路とを含み、
前記無線ＩＣ回路で受信した無線センサデータを前記シリアル用インタフェース回路を通じて前記情報処理装置に出力する第３の機能モードをさらに有し、
前記第２の機能モードでは、前記メモリカードに記録した無線センサデータを前記ストレージ用インタフェース回路を通じて前記情報処理装置に出力することを特徴とする無線アクセスポイント。
【請求項３】
請求項２記載の無線アクセスポイントにおいて、
前記無線アクセスポイントを前記情報処理装置から抜いた状態で、前記無線アクセスポイントは外部から電源が供給可能とされ、
前記第１の機能モードを前記外部からの電源供給で行うことを特徴とする無線アクセスポイント。
【請求項４】
請求項３記載の無線アクセスポイントにおいて、
前記外部からの電源供給が可能な無線アクセスポイントが複数からなる場合に、前記複数の無線アクセスポイントのうち、第１の無線アクセスポイントを中継用に用い、第２の無線アクセスポイントを中継先に用い、
前記無線センサデータを前記第１の無線アクセスポイントで中継して、前記第２の無線アクセスポイントに送信し、かつ、前記無線センサデータを前記第１の無線アクセスポイントに挿されたメモリカードおよび前記第２の無線アクセスポイントに挿されたメモリカードに記録する第４の機能モードをさらに有することを特徴とする無線アクセスポイント。
【請求項５】
請求項４記載の無線アクセスポイントにおいて、
前記第１または第４の機能モードまたは前記シリアル用インタフェース回路を使用する前記第３の機能モードか、前記ストレージ用インタフェース回路を使用する前記第２の機能モードかを切り替える機能切替スイッチと、前記機能切替スイッチにより切り替えたモードを認識可能に表示する状態表示ＬＥＤとをさらに有することを特徴とする無線アクセスポイント。
【請求項６】
無線センサ端末と、前記無線センサ端末との間で無線接続可能な無線アクセスポイントと、前記無線アクセスポイントが挿抜により接続可能な情報処理装置とを有するセンサネットワークシステムであって、
前記無線アクセスポイントは、
前記無線センサ端末からの無線センサデータを受信する無線ＩＣ回路と、前記無線ＩＣ回路で受信した無線センサデータを制御するマイコンと、前記マイコンで制御された無線センサデータを出力するインタフェース回路と、前記無線アクセスポイントに挿抜可能とされるメモリカードとを有し、
前記無線アクセスポイントを前記情報処理装置に挿し、前記メモリカードを前記無線アクセスポイントに挿した状態で、前記メモリカードに前記無線ＩＣ回路で受信した無線センサデータを記録する第１の機能モードと、前記メモリカードに記録した無線センサデータを前記インタフェース回路から前記情報処理装置に出力する第２の機能モードとを有することを特徴とするセンサネットワークシステム。
【請求項７】
請求項６記載のセンサネットワークシステムにおいて、
前記インタフェース回路は、前記無線センサデータをデータ変換して前記情報処理装置に出力するシリアル用インタフェース回路と、前記メモリカードに記録した無線センサデータをデータ変換して前記情報処理装置に出力するストレージ用インタフェース回路とを含み、
前記無線ＩＣ回路で受信した無線センサデータを前記シリアル用インタフェース回路を通じて前記情報処理装置に出力する第３の機能モードをさらに有し、
前記第２の機能モードでは、前記メモリカードに記録した無線センサデータを前記ストレージ用インタフェース回路を通じて前記情報処理装置に出力することを特徴とするセンサネットワークシステム。
【請求項８】
請求項７記載のセンサネットワークシステムにおいて、
前記無線アクセスポイントを前記情報処理装置から抜いた状態で、前記無線アクセスポイントは外部から電源が供給可能とされ、
前記第１の機能モードを前記外部からの電源供給で行うことを特徴とするセンサネットワークシステム。
【請求項９】
請求項８記載のセンサネットワークシステムにおいて、
前記外部からの電源供給が可能な無線アクセスポイントが複数からなる場合に、前記複数の無線アクセスポイントのうち、第１の無線アクセスポイントを中継用に用い、第２の無線アクセスポイントを中継先に用い、
前記無線センサデータを前記第１の無線アクセスポイントで中継して、前記第２の無線アクセスポイントに送信し、かつ、前記無線センサデータを前記第１の無線アクセスポイントに挿されたメモリカードおよび前記第２の無線アクセスポイントに挿されたメモリカードに記録する第４の機能モードをさらに有することを特徴とするセンサネットワークシステム。
【請求項１０】
請求項９記載のセンサネットワークシステムにおいて、
前記無線アクセスポイントは、前記第１または第４の機能モードまたは前記シリアル用インタフェース回路を使用する前記第３の機能モードか、前記ストレージ用インタフェース回路を使用する前記第２の機能モードかを切り替える機能切替スイッチと、前記機能切替スイッチにより切り替えたモードを認識可能に表示する状態表示ＬＥＤとをさらに有することを特徴とするセンサネットワークシステム。
【発明の詳細な説明】
【技術分野】
【０００１】
本発明は、センサネットワークシステムに関し、特に、無線センサ端末からの無線センサデータを受信し、情報処理装置に接続可能な無線アクセスポイント、さらにこの無線アクセスポイントを用いたセンサネットワークシステムに適用して有効な技術に関する。
【背景技術】
【０００２】
従来のセンサネットワークシステムとしては、無線センサ端末と、この無線センサ端末との間で無線接続可能な無線アクセスポイントと、この無線アクセスポイントが接続可能なＰＣ（パーソナルコンピュータ）とを有し、無線アクセスポイントが無線センサ端末からの無線センサデータを受信して、このセンサデータをＰＣに伝送するように構成されたシステムなどがある。
【発明の概要】
【発明が解決しようとする課題】
【０００３】
ところで、前述したようなセンサネットワークシステムにおいては、例えば、無線アクセスポイントは、ＰＣに接続して使用するため、ＰＣがなければ使うことができない。さらに、この無線アクセスポイントは、ＰＣとの接続状態において、無線センサ端末からのセンサデータをＰＣに伝送するだけの使い方に限られている。
【０００４】
そこで、本発明の代表的な目的は、無線アクセスポイントに記録機能を搭載して、ＰＣなどの情報処理装置がなくても電源供給のみで運用を可能とし、無線アクセスポイント自体の使い勝手、さらには無線アクセスポイントを用いたセンサネットワークシステム全体の使い勝手を向上させる技術を提供することにある。
【０００５】
本発明の前記ならびにその他の目的と新規な特徴は、本明細書の記述および添付図面から明らかになるであろう。
【課題を解決するための手段】
【０００６】
本願において開示される発明のうち、代表的なものの概要を簡単に説明すれば、次のとおりである。
【０００７】
すなわち、代表的なものの概要は、無線アクセスポイントにおいて、メモリカードを挿抜可能にして、アクセスポイント機能と、メモリカードへの記録機能とを両立することを特徴とするものである。
【０００８】
具体的に、無線センサデータを受信し、情報処理装置に挿抜により接続可能な無線アクセスポイントにおいては、無線センサデータを受信する無線ＩＣ回路と、無線ＩＣ回路で受信した無線センサデータを制御するマイコンと、マイコンで制御された無線センサデータを出力するインタフェース回路と、無線アクセスポイントに挿抜可能とされるメモリカードとを有し、メモリカードに無線ＩＣ回路で受信した無線センサデータを記録する第１の機能モードと、メモリカードに記録した無線センサデータをインタフェース回路から情報処理装置に出力する第２の機能モードとを有することを特徴とする。
【０００９】
さらに、機能モードとして、無線ＩＣ回路で受信した無線センサデータをシリアル用インタフェース回路を通じて情報処理装置に出力する第３の機能モード、無線センサデータを第１の無線アクセスポイントで中継して、第２の無線アクセスポイントに送信する第４の機能モードを有することを特徴とする。
【００１０】
また、前述した無線アクセスポイントを含むセンサネットワークシステムにおいても、無線センサ端末と、無線センサ端末との間で無線接続可能な無線アクセスポイントと、無線アクセスポイントが挿抜により接続可能な情報処理装置とを有する構成において、前述した第１の機能モード、第２の機能モード、第３の機能モード、第４の機能モードを有することを特徴とする。
【発明の効果】
【００１１】
本願において開示される発明のうち、代表的なものによって得られる効果を簡単に説明すれば以下のとおりである。
【００１２】
すなわち、代表的なものによって得られる効果は、無線アクセスポイントに記録機能を搭載して、ＰＣなどの情報処理装置がなくても電源供給のみで運用を可能とすることができる。この結果、無線アクセスポイント自体の使い勝手、さらには無線アクセスポイントを用いたセンサネットワークシステム全体の使い勝手を向上させることができる。
【図面の簡単な説明】
【００１３】
【図１】本発明の一実施の形態であるセンサネットワークシステムの構成の一例を示す図である。
【図２】本発明の一実施の形態であるセンサネットワークシステムにおいて、無線センサ端末の構成の一例を示す図である。
【図３】本発明の一実施の形態であるセンサネットワークシステムにおいて、無線アクセスポイントの構成の一例を示す図である。
【図４】本発明の一実施の形態であるセンサネットワークシステムにおいて、無線アクセスポイントの外観の一例を示す図である。
【図５】本発明の一実施の形態であるセンサネットワークシステムにおいて、「ＡＰモード（ＰＣ接続）」の動作の一例を示す図である。
【図６】本発明の一実施の形態であるセンサネットワークシステムにおいて、「ＡＰモード（電源のみ）」の動作の一例を示す図である。
【図７】本発明の一実施の形態であるセンサネットワークシステムにおいて、「リーダモード」の動作の一例を示す図である。
【図８】本発明の一実施の形態であるセンサネットワークシステムにおいて、「ルータモード」の動作の一例を示す図である。
【発明を実施するための形態】
【００１４】
＜本発明の実施の形態の概要＞
本発明の実施の形態の概要は、無線アクセスポイントに、メモリカードを挿抜可能にして、アクセスポイント機能と、メモリカードへの記録機能とを両立することを特徴とする。この無線アクセスポイントは、無線センサデータを受信し、情報処理装置に接続可能な構成となっている。
【００１５】
本実施の形態においては、一例として、例えば情報処理装置としてＰＣを用い、このＰＣのＵＳＢインタフェースを使用し、ＰＣのＵＳＢポートに無線アクセスポイントを挿抜して、無線アクセスポイントとＰＣとを接続する場合を例に説明する。しかしながら、情報処理装置はＰＣに限られるものではなく、情報処理端末、携帯情報端末などのように外部インタフェースを有する装置であれば広く適用可能である。また、外部インタフェースについても、ＵＳＢインタフェースに限られるものではなく、電源とデータの入出力が可能なインタフェースであれば適用可能である。このように、情報処理装置と外部インタフェースの型式や種類などは特に問わないものである。
【００１６】
また、本実施の形態においては、センサネットワークシステムの主な構成の一例として、無線センサ端末と無線アクセスポイントとＰＣとを有し、４つの機能と、４つのモードとを持ち、その概要は以下の通りである。
【００１７】
４つの機能には、「無線センサデータ受信機能」、「ＰＣへのデータ送信機能」、「メモリカードへのデータ記録機能」、「メモリカードからのデータ読み出し機能」がある。
【００１８】
「無線センサデータ受信機能」は、無線センサ端末からのデータを受信する。この「無線センサデータ受信機能」は、「ＡＰモード（ＰＣ接続）」、「ＡＰモード（電源のみ）」、「ルータモード」で実現する。
【００１９】
「ＰＣへのデータ送信機能」は、無線アクセスポイントをＰＣに接続時、シリアル通信（ＣＯＭポート使用）で、無線センサ端末から無線で受信したデータをＰＣに送信する。この「ＰＣへのデータ送信機能」は、「ＡＰモード（ＰＣ接続）」、「ルータモード」（マルチホップ通信で無線アクセスポイントまで送信）で実現する。
【００２０】
「メモリカードへのデータ記録機能」は、無線センサ端末から無線で受信したデータをメモリカードに記録する。この「メモリカードへのデータ記録機能」は、「ＡＰモード（電源のみ）」、「ＡＰモード（ＰＣ接続）」、「ルータモード」で実現する。
【００２１】
「メモリカードからのデータ読み出し機能」は、無線アクセスポイントをＰＣに接続時、メモリカードの内容を参照でき、メモリカードに記録されたデータファイルを読み出す。この「メモリカードからのデータ読み出し機能」は、「リーダモード」で実現する。
【００２２】
４つのモードには、「ＡＰモード（ＰＣ接続）」、「ＡＰモード（電源のみ）」、「リーダモード」、「ルータモード」がある。
【００２３】
「ＡＰモード（ＰＣ接続）」は、無線アクセスポイントをＰＣに接続し、ＰＣのアプリケーションソフトを起動することにより、無線センサ端末から無線で受信したデータを無線アクセスポイントを通じてリアルタイムでＰＣのディスプレイ上に表示する。また、「ＡＰモード（ＰＣ接続）」は、メモリカードを挿しておくことにより、データをＰＣのディスプレイ上に表示すると同時にメモリカードへの記録もできる。
【００２４】
「ＡＰモード（電源のみ）」は、無線アクセスポイントにメモリカードが挿された状態かつ、電源が供給された場合、または、ＰＣに接続され、かつＰＣの電源がオンでかつ、アプリケーションソフトが起動されていない場合に、無線センサ端末から無線で受信したデータを無線アクセスポイントのメモリカードに記録する。
【００２５】
「リーダモード」は、無線アクセスポイントをＰＣに接続することにより、無線アクセスポイントのメモリカードがＰＣからリムーバブルディスクとして認識され、ＰＣ上にメモリカードからデータファイルを読み出す。
【００２６】
「ルータモード」は、無線アクセスポイントに電源供給のみを行い、無線センサ端末と無線アクセスポイントとの間に、中継用無線アクセスポイントを配置することで、無線センサ端末から無線で受信したデータを中継用無線アクセスポイントを通じてマルチホップ通信により無線アクセスポイントまで届ける。また、「ルータモード」は、無線アクセスポイントにメモリカードを挿しておくことにより、同時にメモリカードに無線で受信したデータを記録できる。この「ルータモード」は、ＲＯＭ容量の大きなマイコンを使用することで、出荷時およびユーザによる環境設定（フラッシュＲＯＭに設定値を書込む）により実現する。
【００２７】
なお、無線センサ端末から無線アクセスポイントへの無線通信は、一例として、例えば９５０ＭＨｚ帯を使用する。
【００２８】
以上の本発明の実施の形態の概要に基づいた、本発明の一実施の形態を、以下において図面に基づいて詳細に説明する。但し、本発明は図示した形態に限られるものではない。なお、実施の形態を説明するための全図において、同一の部材には原則として同一の符号を付し、その繰り返しの説明は省略する。
【００２９】
＜センサネットワークシステムの構成＞
図１は、本実施の形態であるセンサネットワークシステムの構成の一例を示す図である。図２は無線センサ端末の構成の一例を示す図、図３は無線アクセスポイントの構成の一例を示す図、図４は無線アクセスポイントの外観の一例を示す図である。
【００３０】
本実施の形態であるセンサネットワークシステムは、主な構成として図１に示すように、無線センサ端末１０と、この無線センサ端末１０との間で無線接続可能な無線アクセスポイント２０と、この無線アクセスポイント２０が挿抜により接続可能なＰＣ３０とを有して構成される。
【００３１】
無線センサ端末１０は、図２に示すように、センサ１１とマイコン１２と無線ＩＣ回路１３とこれらの各ブロックに電源を供給する電池１４などから構成され、センサ１１を内蔵したアクティブ無線タグである。この無線センサ端末１０は、内蔵したセンサ１１の他に、外部に各種のセンサ１５も接続可能となっており、内蔵したセンサ１１や外部に接続したセンサ１５によるセンサデータを、マイコン１２の制御により、無線ＩＣ回路１３が一定間隔の時間毎に電波に載せて発信する。これらのセンサ１１，１５には、センサネットワークシステムの用途に応じて、一例として、例えば振動、温度、湿度、照度、気圧、電力量、電力使用量、流量、ガス使用量、水道使用量、石油使用量、人物・物の位置情報などを検知するセンサがあり、これらのセンサデータは無線アクセスポイント２０に向けて発信される。
【００３２】
無線アクセスポイント２０は、図３に示すように、無線ＩＣ回路２１とマイコン２２とシリアル用インタフェース回路２３とストレージ用インタフェース回路２４とメモリカード２５と機能切替スイッチ２６と状態表示ＬＥＤ２７などから構成される。一例として、例えばシリアル用インタフェース回路２３にはシリアル用ＵＳＢ−ＩＣ回路などが用いられ、ストレージ用インタフェース回路２４にはストレージ用ＵＳＢ−ＩＣ回路などが用いられる。また、メモリカード２５には、ＳＤカード（商品名）、メモリスティック（登録商標）、スマートメディア（登録商標）、コンパクトフラッシュ（登録商標）などが用いられる。
【００３３】
この無線アクセスポイント２０は、図４に示すように、本体にメモリカード２５が挿抜可能になっている。また、本体の表面には、機能切替スイッチ２６が切替可能に取り付けられ、さらに切替状態が外側から見えるように状態表示ＬＥＤ２７も設けられている。
【００３４】
この無線アクセスポイント２０では、無線センサ端末１０から発信されたセンサデータを無線ＩＣ回路２１で受信し、マイコン２２の制御により、シリアル用インタフェース回路２３でシリアルインタフェースのデータに変換してＰＣ３０へ伝送することが可能である。また、センサデータは、マイコン２２の制御により、前記ＰＣ３０への伝送と同時にメモリカード２５への記録が可能である。また、メモリカード２５に記録されたセンサデータは、ストレージ用インタフェース回路２４でＵＳＢインタフェースのデータに変換してＰＣ３０へ読み出すことが可能である。また、ＰＣ３０からストレージ用インタフェース回路２４を介してメモリカード２５にデータを記録することが可能である。
【００３５】
また、この無線アクセスポイント２０は、機能切替スイッチ２６を切り替えることで、シリアル用インタフェース回路２３を使用する「ＡＰモード」と、ストレージ用インタフェース回路２４を使用する「リーダモード」とを切り替えることが可能である。この切り替えられた各モードの状態は、状態表示ＬＥＤ２７の表示により外側から認識することが可能である。この状態表示ＬＥＤ２７はマイコン２２の制御により表示される。
【００３６】
ＰＣ３０は、一般的なノート型などのパーソナルコンピュータであり、マイコン、メモリ、ディスプレイ、キーボードなどから構成される。一例として、例えば外部とのインタフェースとして、ＵＳＢポートやシリアルポートなどを備え、外部機器が接続可能となっている。本実施の形態においては、ＵＳＢポートに無線アクセスポイント２０が挿抜可能となっている。
【００３７】
このＰＣ３０では、マイコンの制御により各種のアプリケーションソフトを起動して、無線アクセスポイント２０から伝送されたデータをメモリに記憶し、ディスプレイに表示して監視したり、さらには収集したデータの管理・解析・統計処理なども含めて、各種の処理を実行することが可能である。
【００３８】
以上のように構成されるセンサネットワークシステムには、無線センサ端末１０、無線アクセスポイント２０、ＰＣ３０の他に、ＡＣ電源をＤＣ電源に変換して無線アクセスポイント２０に電源供給するＡＣアダプタ４０なども含めて、本実施の形態であるセンサネットワークシステムが構築される。また、無線センサ端末１０、無線アクセスポイント２０、ＰＣ３０、ＡＣアダプタ４０の各構成要素の数量については、それぞれ１台に限らず、２台以上を組み合わせることで、種々の用途に適用可能なセンサネットワークシステムを構築することができる。
【００３９】
＜センサネットワークシステムの動作＞
図５〜図８は、本実施の形態であるセンサネットワークシステムの動作の一例を示す図であり、それぞれ、図５は「ＡＰモード（ＰＣ接続）」、図６は「ＡＰモード（電源のみ）」、図７は「リーダモード」、図８は「ルータモード」を示す。
【００４０】
「無線センサデータ受信機能」、「ＰＣへのデータ送信機能」を実現する「ＡＰモード（ＰＣ接続）」は、図５に示すように、無線センサ端末１０、無線アクセスポイント２０、ＰＣ３０を有する構成において実現される。無線アクセスポイント２０のコネクタをＰＣ３０のＵＳＢポートに挿し、無線アクセスポイント２０とＰＣ３０とを接続し、無線アクセスポイント２０として、リアルタイムで無線センサ端末１０から発信された無線センサデータの送受信通信（ＣＯＭポート使用）をシリアル用インタフェース回路２３を通じて行う。ＰＣ３０のアプリケーションソフトを起動することにより、ＰＣ３０のディスプレイにデータを表示し、またＰＣ３０のメモリにログデータを保存する。このＰＣ３０のディスプレイにデータを表示する機能とＰＣ３０のメモリにログデータを保存する機能は、それぞれ実施する／しないを選択でき、４パターンの仕様となる。
【００４１】
また、この「ＡＰモード（ＰＣ接続）」では「メモリカードへのデータ記録機能」も実現でき、無線アクセスポイント２０にメモリカード２５を挿しておくことにより、データをＰＣ３０のディスプレイ上に表示すると同時にメモリカード２５への記録もできる。
【００４２】
この「ＡＰモード（ＰＣ接続）」は、無線アクセスポイント２０の機能切替スイッチ２６をシリアル用インタフェース回路２３を使用する「ＡＰモード」に切り替えて、ＰＣ３０のモニタアプリケーションソフトを起動している間、このモードとなる。
【００４３】
「無線センサデータ受信機能」、「メモリカードへのデータ記録機能」を実現する「ＡＰモード（電源のみ）」は、図６に示すように、無線センサ端末１０，１０ａ（図６では２台の例を図示）、無線アクセスポイント２０、ＡＣアダプタ４０を有する構成において実現される。ＰＣ３０がなくても、無線アクセスポイント２０のコネクタをＡＣ電源に接続されたＡＣアダプタ４０に挿し、無線アクセスポイント２０にＡＣアダプタ４０から電源が供給されていれば、メモリカード２５へ無線センサデータを記録する。
【００４４】
この「ＡＰモード（電源のみ）」は、無線アクセスポイント２０の機能切替スイッチ２６をシリアル用インタフェース回路２３を使用する「ＡＰモード」に切り替えて、ＡＣアダプタ４０から電源が供給されている間、このモードとなる。メモリカード２５に記録したデータの読み出しは、「リーダモード」によりＰＣ３０から読み出す。
【００４５】
「メモリカードからのデータ読み出し機能」を実現する「リーダモード」は、図７に示すように、無線アクセスポイント２０、ＰＣ３０を有する構成において実現される。無線アクセスポイント２０のコネクタをＰＣ３０のＵＳＢポートに接続した場合は、メモリカード２５はＰＣ３０からリムーバブルディスクとして認識され、メモリカード２５内に記録されているデータファイルをストレージ用インタフェース回路２４を通じてＰＣ３０上に読み出す。
【００４６】
この「リーダモード」は、無線アクセスポイント２０の機能切替スイッチ２６をストレージ用インタフェース回路２４を使用する「リーダモード」に切り替えた場合に、このモードとなる。この「リーダモード」では、通常のメモリカードリーダと同様の使い方ができる。
【００４７】
「無線センサデータ受信機能」、「ＰＣへのデータ送信機能」を実現する「ルータモード」は、図８に示すように、無線センサ端末１０、中継用の無線アクセスポイント２０ａ，２０ｂとＡＣアダプタ４０ａ，４０ｂ（図８では各２台の例を図示）、中継先の無線アクセスポイント２０とＡＣアダプタ４０を有する構成において実現される。ＰＣ３０がなくても、中継用、中継先の各無線アクセスポイント２０ａ，２０ｂ，２０のコネクタをＡＣ電源に接続された各ＡＣアダプタ４０ａ，４０ｂ，４０に挿し、各無線アクセスポイント２０ａ，２０ｂ，２０に各ＡＣアダプタ４０ａ，４０ｂ，４０から電源が供給されていれば、無線センサ端末１０から無線受信したセンサデータを、まず１台目の無線アクセスポイント２０ａからなるルータで中継し、さらに２台目の無線アクセスポイント２０ｂからなるルータで中継して、そして、中継先の無線アクセスポイント２０まで届ける。この中継用の無線アクセスポイント２０ａ，２０ｂは、２台に限らず、３台以上で中継することも可能である。
【００４８】
また、この「ルータモード」では「メモリカードへのデータ記録機能」も実現でき、各無線アクセスポイント２０ａ，２０ｂ，２０に各メモリカード２５ａ，２５ｂ，２５を挿しておくことにより、同時にメモリカード２５ａ，２５ｂ，２５に無線で受信したデータを記録できる。
【００４９】
この「ルータモード」は、中継用の無線アクセスポイント２０ａ，２０ｂはＲＯＭ容量の大きなマイコン２２を使用することで、出荷時およびユーザによる環境設定（フラッシュＲＯＭに設定値を書込む）を行い、中継先の無線アクセスポイント２０の機能切替スイッチ２６をシリアル用インタフェース回路２３を使用する「ＡＰモード」に切り替えて、ＡＣアダプタ４０ａ，４０ｂ，４０から電源が供給されている間、このモードとなる。
【００５０】
＜本実施の形態の効果＞
以上説明した本実施の形態であるセンサネットワークシステムによれば、以下のような効果を得ることができる。
【００５１】
（１）無線アクセスポイント２０としては、この無線アクセスポイント２０にメモリカード２５を挿抜可能にして、アクセスポイント機能とメモリカード２５への記録機能とを両立させることができるので、無線アクセスポイント２０自体の使い勝手を向上させることが可能となる。特に、この無線アクセスポイント２０は、ＰＣ３０がなくても電源供給のみで運用が可能となる。
【００５２】
（２）センサネットワークシステムとしては、「無線センサデータ受信機能」、「ＰＣへのデータ送信機能」、「メモリカードへのデータ記録機能」、「メモリカードからのデータ読み出し機能」の４つの機能と、「ＡＰモード（ＰＣ接続）」、「ＡＰモード（電源のみ）」、「リーダモード」、「ルータモード」の４つのモードとで動作させることができるので、センサネットワークシステム全体の使い勝手を向上させることが可能となる。
【００５３】
（３）センサネットワークシステムとしては、無線センサ端末１０のセンサ１１，１５の種類や、ＰＣ３０でのアプリケーションソフトによる処理の種類などを種々組み合わせることで、広い用途での運用が可能となる。
【００５４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００５５】
本発明のセンサネットワークシステムは、無線センサ端末からの無線センサデータを受信し、ＰＣなどの情報処理装置に接続可能な無線アクセスポイント、さらにこの無線アクセスポイントを用いたセンサネットワークシステムに利用可能である。
【符号の説明】
【００５６】
１０，１０ａ…無線センサ端末、１１…センサ（内蔵）、１２…マイコン、１３…無線ＩＣ回路、１４…電池、１５…センサ（外部）、
２０，２０ａ，２０ｂ…無線アクセスポイント、２１…無線ＩＣ回路、２２…マイコン、２３…シリアル用インタフェース回路、２４…ストレージ用インタフェース回路、２５，２５ａ，２５ｂ…メモリカード、２６…機能切替スイッチ、２７…状態表示ＬＥＤ、
３０…ＰＣ、
４０，４０ａ，４０ｂ…ＡＣアダプタ。
【図１】
2011239186.tif 000003
【図２】
2011239186.tif 000004
【図３】
2011239186.tif 000005
【図４】
2011239186.tif 000006
【図５】
2011239186.tif 000007
【図６】
2011239186.tif 000008
【図７】
2011239186.tif 000009
【図８】
2011239186.tif 000010